(57)【要約】【課題】容器の密封状態をより確実に維持できるとともに、高温滅菌処理の際にゴム栓に水蒸気等が付着するのを防止できる容器キャップを提供する。【解決手段】開口部２５を形成した円盤状の天面部２３と天面部２３の外周部から垂下する円筒部２４とからなり、ゴム栓４で封をされた容器１の口部３に被せられる金属製の内キャップ２１、および、円盤状の天面部１２と天面部１２の外周下部から垂下する円筒部１４とからなり、内キャップ２１の外側に被せられる金属製の外キャップ２２で構成され、内キャップ２１および外キャップ２２の両方の円筒部２４，１４の裾部２４ａ，１４ａが一緒に容器１のネック部５に巻き締められることにより容器１を密封して固定される容器キャップ２０であって、外キャップ２２の天面部１２の外周縁部に径方向外側に突出する鍔部１６を設けるとともに、外キャップ２２の円筒部１４の裾部１４ａに複数のスプリット線１８を形成した。【選択図】図２
2006124017.tif 000002
【特許請求の範囲】
【請求項１】
開口部を形成した円盤状の天面部と該天面部の外周部から垂下する円筒部とからなり、ゴム栓で封をされた容器の口部に被せられる金属製の内キャップ、および、円盤状の天面部と該天面部の外周下部から垂下する円筒部とからなり、前記内キャップの外側に被せられる金属製の外キャップで構成され、前記内キャップおよび前記外キャップの両方の円筒部の裾部が一緒に前記容器のネック部に巻き締められることにより前記容器を密封して固定される容器キャップであって、
前記外キャップの天面部の外周縁部に径方向外側に突出する鍔部を設けるとともに、前記外キャップの円筒部の裾部に複数のスプリット線を円周方向に間隔をあけて形成したことを特徴とする容器キャップ。
【請求項２】
前記内キャップおよび前記外キャップはいずれもアルミ製であることを特徴とする請求項１に記載の容器キャップ。
【請求項３】
前記外キャップの鍔部は、一端部が閉じた円筒状キャップの閉鎖端部側を押し潰すことにより形成されることを特徴とする請求項１に記載の容器キャップ。
【請求項４】
前記外キャップのスプリット線は、前記円筒部を構成する金属板の厚みの所定深さまで切り込まれた弱化線であることを特徴とする請求項１に記載の容器キャップ。
【請求項５】
前記内キャップおよび前記外キャップの両方の円筒部の裾部が一緒に前記容器のネック部に巻き締められたときに、前記内キャップの裾部が前記外キャップの裾部からはみ出るようにしたことを特徴とする請求項１に記載の容器キャップ。
【請求項６】
前記内キャップの天面部において、前記開口部の周囲に略リング状のつまみ部を残すように略Ｃ字状の切り欠き部が形成され、前記切り欠き部の一方の端部から前記円筒部の裾部にかけて弱化線が形成されていることを特徴とする請求項１に記載の容器キャップ。
【発明の詳細な説明】
【技術分野】
【０００１】
本発明は、例えば医薬品用ガラス瓶のような容器の開口部を密封する容器キャップに関する。
【背景技術】
【０００２】
従来、主に医薬品の容器であるガラス瓶に封をするために使用されているキャップは、ガラス瓶の口部を密封状態で栓をするゴム栓を覆って設けられており、一般に、前記ゴム栓を覆って設けられたアルミキャップとこのアルミキャップに被せられたプラスチック蓋とからなる。
【０００３】
このようなアルミキャップとプラスチック蓋とから構成されるキャップとして、通称フリップオフキャップと呼ばれるものがある。このフリップオフキャップでは、アルミキャップの円形状天面部の中央に貫通孔が形成されており、この貫通孔の外周部に複数のブリッジ部を残して円形状に切断した破断線が形成されている。そして、アルミキャップの天板部を覆って被せられるプラスチック蓋の内面には、前記貫通孔に対応した形状の突起部が形成されており、前記突起部が前記貫通孔に挿入された状態で前記貫通孔の縁部をカシメることにより前記アルミキャップと前記プラスチック蓋とが一体に連結されている。このように一体に連結されたキャップは、ゴム栓上に被せて所定圧力で押え付けた状態でアルミキャップの裾部をガラス瓶の口部周囲のネック部（段部）に掛かるように巻き込むことによりガラス瓶に取り付けられる。
【０００４】
このようなフリップオフキャップでは、開封時にプラスチック蓋を取り外すとき、アルミキャップにカシメられている突起部が引き上げられることによってアルミキャップの貫通孔の縁部が破断線に沿って破れ、これによりゴム栓の上部が部分的に露出する。そして、内容物（主として注射液）を取り出そうとする人は、露出したゴム栓に注射針を突き刺して、内容物を摘出する。このようにして開封した場合には、アルミキャップから破断したリング状のアルミ板がプラスチック蓋の内面に残ることになる。
【０００５】
また、前記フリップオフキャップの類似の形態として、いわゆるスッポ抜けタイプのキャップがある。このタイプのキャップでは、プラスチック蓋の内面に形成した突起部がアルミキャップの貫通孔にカシメられている点で共通するが、アルミキャップの貫通孔の周囲には前記破断線が形成されていない。この場合には、開封時にプラスチック蓋を取り外すとき、カシメられている突起部が変形することによってアルミキャップの貫通孔からスッポ抜け、これによりゴム栓が前記貫通孔の大きさで露出することになる。なお、この場合には開封時にアルミキャップは破断しないので、開封後のプラスチック蓋にアルミキャップの一部が残ることはない。
【０００６】
【特許文献１】実公昭６１―１５８８１号公報
【発明の開示】
【発明が解決しようとする課題】
【０００７】
しかしながら、上述したようなフリップオフキャップでは、内容物を収容した容器を前記フリップオフキャップで密封状態に封着された後、高温（例えば１２０℃）下で蒸気滅菌するとき、プラスチック蓋が伸縮変形するためにアルミキャップとの間にわずかな隙間が形成されてしまう可能性がある。この場合、その隙間から入り込んだ水蒸気がアルミキャップの貫通孔や破断線を介してゴム栓のところまで入り込んで、注射針の刺し口となるゴム栓上面に付着するおそれがあり、衛生上好ましくない。
【課題を解決するための手段】
【０００８】
そこで、前記問題を解決するために本発明は、開口部を形成した円盤状の天面部と該天面部の外周部から垂下する円筒部とからなり、ゴム栓で封をされた容器の口部に被せられる金属製の内キャップ、および、円盤状の天面部と該天面部の外周下部から垂下する円筒部とからなり、前記内キャップの外側に被せられる金属製の外キャップで構成され、前記内キャップおよび前記外キャップの両方の円筒部の裾部が一緒に前記容器のネック部に巻き締められることにより前記容器を密封して固定される容器キャップであって、
前記外キャップの天面部の外周縁部に径方向外側に突出する鍔部を設けるとともに、前記外キャップの円筒部の裾部に複数のスプリット線を円周方向に間隔をあけて形成したことを特徴とするものである。
【０００９】
本発明の容器キャップでは、前記内キャップおよび前記外キャップがいずれもアルミ製であってもよい。
【００１０】
また、本発明の容器キャップでは、前記外キャップの鍔部が、一端部が閉じた円筒状キャップの閉鎖端部側を押し潰すことにより形成されてもよい。
【００１１】
また、本発明の容器キャップでは、前記外キャップのスプリット線が、前記円筒部を構成する金属板の厚みの所定深さまで切り込まれた弱化線であってもよい。
【００１２】
また、本発明の容器キャップでは、前記内キャップおよび前記外キャップの両方の円筒部の裾部が一緒に前記容器のネック部に巻き締められたときに、前記内キャップの裾部が前記外キャップの裾部からはみ出るようにしてもよい。
【００１３】
さらに、本発明の容器キャップでは、前記内キャップの天面部において、前記開口部の周囲に略リング状のつまみ部を残すように略Ｃ字状の切り欠き部が形成され、前記切り欠き部の一方の端部から前記円筒部の裾部にかけて弱化線が形成されてもよい。
【発明の効果】
【００１４】
本発明の容器キャップでは、内キャップと外キャップとの二重で、容器の口部を封をするゴム栓を押さえているので、容器の密封状態をより確実に維持することができる。また、内キャップおよび外キャップはいずれも例えばアルミ等の金属製であるため、薬剤等を封入した容器を高温下（例えば１２０℃）で蒸気滅菌する場合にも伸縮変形することがなく密封状態をしっかりと保持するので、注射針の刺し口となるゴム栓の上面に水蒸気等の異物が付着することがなく、プラスチック製の外キャップを含む容器キャップに比べて衛生面において有利である。
【００１５】
また、本発明の容器キャップでは、外キャップが金属製であるために高温下（例えば１２０℃）で蒸気滅菌しても伸縮変形することがないことから、開封力が変化することがなく、開封しづらくなくことがない。
【００１６】
また、本発明の容器キャップでは、例えばアルミ板から１回の絞り加工で一端部が閉じた円筒状の外キャップを形成し、その外キャップの閉じた端部側を少し押し潰して変形させることで前記鍔部を形成することができる。したがって、絞り加工は１回だけでよく、かつ、鍔部も簡単に形成できるので、単価を安くすることができる。
【００１７】
また、本発明の容器キャップでは、例えば切り込み深さを調節することによりスプリット線の破断強さを任意に設定することができ、これにより外キャップを片手で適度な力加減で容易に開封できるようにすることができる。一方、外キャップが一旦開封されると、既にスプリット線が破断しているので、未開封状態のようにきちっと再栓することはできないので、ピルファープルーフ特性を持たせることができる。
【００１８】
また、本発明の容器キャップでは、外キャップを容器から取り外したときに、ゴム栓が内キャップによって容器口部になお保持されているので、内キャップの天面部の開口部を介してゴム栓に注射針を抜き刺しする際にゴム栓が容器口部から外れてしまうのを防止できる。
【００１９】
また、本発明の容器キャップでは、外キャップを開栓するときに、従来のフリップオフキャップのようにゴム栓の上でアルミキャップが切れたりアルミとプラスチックが擦れたりすることがないので、ゴム栓の上面にアルミ粉やプラスチック粉が付着するおそれがなく、衛生的である。
【００２０】
また、本発明の容器キャップでは、内キャップにつまみ部と弱化線を形成することで、容器の内容物の使用後につまみ部を掴んで弱化線に沿って引き裂くことにより内キャップを容器から容易に取り外すことができ、分離廃棄することができる。この場合、内キャップと外キャップを同じ金属（例えばアルミ）製のものにしておけば、外キャップがプラスチック製の場合とは異なり、内キャップと外キャップを一緒に廃棄して再生利用に供することができる。
【００２１】
また、内キャップおよび外キャップの両方の円筒部の裾部が一緒に容器のネック部に巻き締められたときに、内キャップの裾部が外キャップの裾部からはみ出るようにすれば、内キャップが装着されていることを外部から容易に視認することができる。
【００２２】
さらに、本発明の容器キャップでは、鍔部を含めて外キャップの天面部の面積が大きくなっているので、印刷面が多くなり、商品価値をより高めることができる。
【発明を実施するための最良の形態】
【００２３】
以下に、本発明の一実施形態の容器キャップについて図１，２を参照して説明する。
図１は、例えば医薬品用容器である比較的小さなガラス瓶１を密封状態に栓をする容器キャップ２０の半断面図である。容器キャップ２０は、ゴム栓４で封をされたガラス瓶（容器）１の口部３に被せられた内キャップ２１と、内キャップ２１の外側に被せられた外キャップ２２とから構成されている。外キャップ２２は、円盤状の天面部１２と、この天面部１２の外周下部から垂下する円筒部１４とからなっている。
【００２４】
外キャップ２２には、天面部１２の外周縁部全体にわたって径方向外側に突出する鍔部１６が設けられている。この鍔部１６の円筒部１４からの突出幅は、例えば１ないし２ｍｍ程度であるが、それ以上であってもよい。鍔部１６は、天面部１２および円筒部１４と共に、例えば板厚０．２ｍｍのアルミ板から一体成形されている。
【００２５】
なお、鍔部１６は、必ずしも天面部１２の全外周にわたって形成されてなくてもよく、例えば隙間をあけて形成された複数の鍔部に分かれていてもよいし、あるいは、天面部１２の外周縁部の一部についてだけ設けられていてもよい。
【００２６】
円筒部１４の開口側端部である裾部１４ａには、複数のスプリット線１８が円周方向に適当な間隔をあけて形成されている。本実施形態おいてスプリット線１８は、円筒部１４の軸（Ｘ軸）方向に沿って長さが例えば数ｍｍ程度に形成されている。ただし、スプリット線１８は、円筒部１４の軸方向に対して１５°〜８０°の角度をなすように形成されてもよい。このように角度をつけることで、後述するように円筒部１４の裾部１４ａをガラス瓶１のネック部５に巻き締めるときに、スプリット線１８が破断してしまうのを防止する効果がある。
【００２７】
前記スプリット線１８は、円筒部１２の板厚の例えば３分の２まで切り込んだ弱化線として形成されている。この切り込み深さを調節することで、スプリット線１８の破断強さを任意に設定することができる。
なお、スプリット線１８は、浅く切り込んだ弱化線に限らず、例えばミシン目線として形成されてもよい。
【００２８】
前記外キャップ２２は、次のようにして製造される。まず、アルミ板に複数のスプリット線１８を円周方向に並んで形成した後、型を用いた絞り加工を施すことによって、一端部が閉じた円筒状キャップをつくる。その後、円筒状キャップの閉じた端部側を少し押し潰して変形させることにより、潰れた部分が径方向外側に突出することで鍔部１６が形成される。
【００２９】
内キャップ２１は、例えば板厚０．２ｍｍのアルミ板に絞り加工を施して形成された一端部が閉じた円筒状のもので、円盤状の天面部２３とこの天面部２３の外周部から垂下する円筒部２４とからなっている。内キャップ２１の天面部２３には、図２に示すように、中央部に例えば円形の開口部２５が形成されており、外キャップ２２が取り外されたときに開口部２５を介してゴム栓４が露出するようになっている。
【００３０】
また、内キャップ２１の天面部２３には、開口部２５の周囲に略リング状のつまみ部２６を残すように略Ｃ字状の切り欠き部２７が形成されている。前記切り欠き部２７の一方の端部からは、天面部２３から円筒部２４の裾部２４ａにかけて弱化線２８が形成されている。
【００３１】
なお、外キャップ２２および内キャップ２１は、いずれもアルミ製であるものとしたが、これに限定されず、他の金属製であってもよい。
【００３２】
容器キャップ２０がガラス瓶１に装着される場合、まず、ゴム栓４で封をしたガラス瓶１の口部３に内キャップ２１が被せられ、続いてその外側に外キャップ２２が被せられる。そして、外キャップ２２の円筒部１４の裾部１４ａと内キャップ２１の円筒部２４の裾部２４ａとが一緒にガラス瓶１のネック部５に曲げ込まれて巻き締められることにより、容器キャップ２０がガラス瓶１を密封して固定される。このキャップ取付工程は、一般にキャッパーと呼ばれる装置によって自動的に行われる。
【００３３】
内キャップ２１および外キャップ２２の両方の裾部２４ａ，１４ａが一緒に巻き締められたとき、内キャップ２１の裾部２４ａが外キャップ２２の裾部１４ａからはみ出すようにしてある。これにより、内キャップ２１が装着されていることを外部から容易に視認することができる。
【００３４】
ただし、内キャップ２１の裾部２４ａがはみ出していることで、外部から内キャップ２１を引っ張り出すこともできないこともないので、これを防止するために、内キャップ２１の裾部２４ａが外キャップ２２の裾部１４ａからはみ出ないように設計されてもよい。
【００３５】
上記のようにしてガラス瓶１に取り付けられた容器キャップ２０を開栓する際には、図１に示すように、ガラス瓶１の本体部（図示せず）を手で掴んで、親指で鍔部１６を矢印Ｂ方向に押し上げる。これにより、例えば１本または２本のスプリット線１８が破断することで円筒部１４の巻き締められた裾部１４ａが広がり、円筒部１４の裾部１４ａがガラス瓶１のネック部５から外れ、その結果、外キャップ２２をガラス瓶１から取り外すことができる。このとき、内キャップ２１は、ゴム栓４をしっかりと保持した状態のままである。
【００３６】
ガラス瓶１から外キャップ２２が取り外されると、内キャップ２１の天面部２３に形成された開口部２５を介してゴム栓４が露出し、この開口部２５を介して注射針をゴム栓４に突き刺して内容物を抜き出すことができる。
【００３７】
内容物を使用した後にガラス瓶１が廃棄されるとき、内キャップ２１のつまみ部２６を掴んで弱化線２８に沿って引き裂くことにより内キャップ２１がガラス瓶１から取り外される。
【００３８】
以上に説明したように、本実施形態の容器キャップ２０によれば、次のような効果を奏する。
【００３９】
容器キャップ２０では、内キャップ２１と外キャップ２２との二重で、ガラス瓶１の口部３を封をするゴム栓４を押さえているので、ガラス瓶１の密封状態をより確実に維持することができる。また、内キャップ２１および外キャップ２２はいずれもアルミ製であるため、薬剤等を封入した容器を高温（例えば１２０℃）下で蒸気滅菌する場合にも伸縮変形することがなく密封状態をしっかりと保持するので、注射針の刺し口となるゴム栓４の上面に水蒸気等の異物が付着することがなく、プラスチック製の外キャップを含む容器キャップに比べて衛生面において有利である。
【００４０】
また、本発明の容器キャップ２０では、外キャップ２２がアルミ製であるために高温下（例えば１２０℃）で蒸気滅菌しても伸縮変形することがないことから、開封力が変化することがなく、開封しづらくなくことがない。
【００４１】
また、容器キャップ２０では、例えばアルミ板を１回の絞り加工で一端部が閉じた円筒状の外キャップを形成し、その外キャップの閉じた端部側を少し押し潰して変形させることで鍔部１６を形成することができる。したがって、絞り加工は１回だけでよく、かつ、鍔部も簡単に形成できるので、単価を安くすることができる。
【００４２】
また、容器キャップ２０では、切り込み深さを調節することによりスプリット線１８の破断強さを任意に設定することができ、これにより外キャップ２２を片手で適度な力加減で容易に開封できるようにすることができる。一方、外キャップ２２が一旦開封されると、既にスプリット線１８が破断しているので、未開封状態のようにきちっと再栓することはできないので、ピルファープルーフ特性を持たせることができる。
【００４３】
また、容器キャップ２０では、外キャップ２２をガラス瓶１から取り外したときに、ゴム栓４が内キャップ２１によってガラス瓶１の口部３になお保持されているので、内キャップ２１の天面部２３の開口部２５を介してゴム栓４に注射針を抜き刺しする際にゴム栓４がガラス瓶１の口部３から外れてしまうのを防止できる。
【００４４】
また、本発明の容器キャップ２０では、外キャップ２２を開栓するときに、従来のフリップオフキャップのようにゴム栓４の上でアルミキャップが切れたりアルミとプラスチックが擦れたりすることがないので、ゴム栓４の上面にアルミ粉やプラスチック粉が付着するおそれがなく、衛生的である。
【００４５】
また、容器キャップ２０では、内キャップ２１につまみ部２６と弱化線２８を形成することで、ガラス瓶１の内容物の使用後につまみ部２６を掴んで弱化線２８に沿って引き裂くことにより内キャップ２１を容器１から容易に取り外すことができ、分離廃棄することができる。この場合、内キャップ２１と外キャップ２２とはいずれもアルミ製であるので、外キャップがプラスチック製の場合とは異なり、内キャップ２１と外キャップ２２を一緒に廃棄して再生利用に供することができる。
【００４６】
さらに、容器キャップ２０では、鍔部１６を含めて外キャップ２２の天面部１２の面積が大きくなっているので、印刷面が多くなり、商品価値をより高めることができる。
【図面の簡単な説明】
【００４７】
【図１】本発明の実施形態の容器キャップを示す半断面図。
【図２】容器キャップを構成する内キャップの斜視図。
【符号の説明】
【００４８】
１…ガラス瓶（容器）
２…開口部
３…口部
４…ゴム栓
５…ネック部
１２…天面部
１４…円筒部
１４ａ…裾部
１６…鍔部
１８…スプリット線
２０…容器キャップ
２１…内キャップ
２２…外キャップ
２３…天面部
２４…円筒部
２４ａ…裾部
２５…開口部
２６…つまみ部
２７…切り欠き部
２８…弱化線
【図１】
2006124017.tif 000003
【図２】
2006124017.tif 000004